(57)【要約】【課題】本質安全型データ遠隔監視測定システムおよび当該システムを使用してデータに対し遠隔監視測定を行う方法を提供する。【解決手段】当該監視測定システムは、被制御過程に対し監視測定を行う過程制御コンピュータ、及び過程制御コンピュータに遠隔監視測定を行う遠隔監視測定コンピュータを含み、またさらに、過程制御コンピュータとの間でネットを介さずに物理接続され、過程制御コンピュータの中のデータ信号を採集する信号採集設備及び信号採集設備と接続されているローカル監視測定コンピュータ（４）を含み、ローカル監視測定コンピュータ（４）と遠隔監視測定コンピュータはネットを介して接続される。当該監視測定方法は、監視測定システムの中の信号採集設備で過程制御コンピュータの中のデータ信号を採集してから、ローカル監視測定コンピュータ（４）により当該データ信号を遠隔監視測定コンピュータに送信して監視測定を行うというステップを含む。【選択図】      図１
2009532750.tif 000002
【特許請求の範囲】
【請求項１】
被制御過程に対し監視測定又は制御を行う過程制御コンピュータ又はコンピュータシステムと、
過程制御コンピュータ又はコンピュータシステムに対し遠隔監視測定を行う遠隔監視測定コンピュータ又はコンピュータシステムと、を含む本質安全型データ遠隔監視測定システムであって、
過程制御コンピュータ又はコンピュータシステムとの間でネットを介さずに物理接続され、過程制御コンピュータ又はコンピュータシステムの中のデータ信号を採集するのに用いる信号採集設備又はシステムと、
信号採集設備又はシステムと接続されているローカル監視測定コンピュータ又はコンピュータシステムと、をさらに含み、
当該ローカル監視測定コンピュータ又はコンピュータシステムは遠隔監視測定コンピュータ又はコンピュータシステムとネットにより接続されている
ことを特徴とする本質安全型データ遠隔監視測定システム。
【請求項２】
前記信号採集設備は画像又は映像の採集設備を採用していることを特徴とする請求項１に記載の安全型データ遠隔監視測定システム。
【請求項３】
前記画像又は映像の採集設備が、過程制御コンピュータのモニターが表示するデータ映像画像を撮影するカメラ、または過程制御コンピュータのモニター中の映像信号を採集する映像採集設備であることを特徴とする請求項２に記載の安全型データ遠隔監視測定システム。
【請求項４】
過程制御コンピュータのモニター中の映像信号を採集する映像採集設備が映像分線コンバーター及び映像採集カードを含み、前記映像分線コンバーターの一方の出力ポートが過程制御コンピュータのモニターに接続され、他方の出力ポートが映像採集カードに接続され、映像採集カードとローカル監視測定コンピュータが接続されていることを特徴とする請求項３に記載の安全型データ遠隔監視測定システム。
【請求項５】
前記信号採集システムが、過程制御コンピュータと接続されている光発信器と、ローカル監視測定コンピュータと接続されている光受信器とを含む単方向の光電カップリングユニットシステムを採用し、発信するデータは光発信器を通じて発射され、光受信器は光発信器が発送した光データ信号を電気データ信号に変換する光電コンバーターユニットであり、データを専ら光電単方向で過程制御コンピュータからローカル監視測定コンピュータへ転送する構成を形成されたことを特徴とする請求項１に記載の安全型データ遠隔監視測定システム。
【請求項６】
前記信号採集システムは、ラジオ発信器とラジオ受信器を含む単方向転送を行うラジオシステムを採用しており、過程制御コンピュータ側にラジオ発信器が接続され、ローカル監視測定コンピュータ側にラジオ受信器が接続されてデータの転送が行われ、転送しようとするデータ信号はラジオ放送又はテレビ放送を通じて監視測定側のローカル監視測定コンピュータに転送されることを特徴とする請求項１に記載の安全型データ遠隔監視測定システム。
【請求項７】
当該監視測定システムにおける、過程制御コンピュータ又はコンピュータシステムとネットを介さず物理接続されている信号採集設備又はシステムを通じて、過程制御コンピュータ又はシステムの中のデータ信号を採集してから、ローカル監視測定コンピュータにより当該データ信号をネットを通じて遠隔監視測定コンピュータに転送して監視測定を行うことを特徴とする、請求項１〜６のいずれか一項に記載の監視測定システムを利用してデータに対し遠隔監視測定を行う方法。
【請求項８】
当該信号採集設備は画像又は映像の採集設備を採用することを特徴とする請求項７に記載の監視測定方法。
【請求項９】
前記画像又は映像の採集設備が、過程制御コンピュータのモニターが表示するデータ映像画像を撮影するカメラ又は過程制御コンピュータのモニター中の映像信号を採集する映像採集設備であることを特徴とする請求項７に記載の監視測定方法。
【請求項１０】
画像採集設備により採集して得られた監視測定データの映像信号を、画像又は映像形式のファイルに変換してから、ローカル監視測定コンピュータによりネットファイル転送方式を用いて当該ファイルを遠隔監視測定コンピュータに転送することを特徴とする請求項９に記載の監視測定方法。
【請求項１１】
画像採集設備により採集して得たデータ映像信号を画像又は映像ファイルに変換し、さらに画像又は映像ファイルをテキスト形式のデータ又は浮動小数点形式のデータに復元してから、ローカル監視測定コンピュータにより当該データをネットデータ転送システムを通じて遠隔監視測定コンピュータに転送して監視測定を行うことを特徴とする請求項９に記載の監視測定方法。
【請求項１２】
データの画像又は映像ファイルの変換は、光学式文字読取技術ＯＣＲを用いて文字符号と数字に対し識別を行い、データの画像又は映像ファイルをテキスト形式データ又は浮動小数点形式のデータに変換することを特徴とする請求項１１に記載の監視測定方法。
【請求項１３】
画像採集設備により採集して得たデータ映像信号を浮動小数点形式のデータに転換してから、当該データを、ローカル監視測定コンピュータによりネットデータ転送システムを通じて遠隔監視測定コンピュータに転送して監視測定を行うことを特徴とする請求項９に記載の監視測定方法。
【請求項１４】
過程制御コンピュータシステムで採集した被監視測定データをモニター（７）に表示する必要がある場合、そのデータは複数の表示方式で表示することができ、データを普通の浮動小数点数字の形でそのまま表示してもよく、表示しようとするデータをある種のマッピング変換を経てスクリーンに表示し、光学式文字読取が完成したら逆変換を行い、元のデータに復元してもよいということを特徴とする請求項１３に記載の監視測定方法。
【請求項１５】
過程制御コンピュータシステムで採集した被監視測定データの中の小数点をその他の文字符号に差し替えることで、ＯＣＲ識別プログラムが小数点を汚染された「ダーティポイント」に誤認識して識別を行えないということを避け、ＯＣＲがこの代替の文字符号を識別したら小数点に復元することを特徴とする請求項１４に記載の監視測定方法。
【請求項１６】
前記マッピング変換には様々なものがあり、実際の必要に応じてマッピング変換の設計を行う事ができ、６４桁又はその他の必要に応じた桁数の２進法を用いて採集したデータを表した後、表示インターフェースのある位置の６４個の画素をこの６４個の２進法数に対応させ、各画素において白で１を表示するか又は所定色のＲＧＢ値で１を表示し、黒で０を表示するか又は別の所定色のＲＧＢ値で０を表し、ローカル監視測定コンピュータがこの位置の６４個の画素を採集した後、その色に基づいて当該データの２進法の表示を得ることができ、その後この２進法データを通常の１０進法浮動小数点数に復元することを特徴とする請求項１４に記載の監視測定方法。
【請求項１７】
過程制御コンピュータシステムで採集した被監視測定データを直接映像信号に変調し、ローカル監視測定コンピュータがこの映像信号を受信した後、復調をしてデータに復元することを特徴とする請求項１１に記載の監視測定方法。
【発明の詳細な説明】
【技術分野】
【０００１】
当発明は、コンピュータ制御の技術分野に属し、本質安全型データ遠隔監視測定システム及び当該監視測定システムを使用しデータに対して遠隔監視測定を行う方法に関する。
【背景技術】
【０００２】
従来の工業制御過程におけるデータ遠隔監視測定は大半がデータネット例えばインターネットないしＬＡＮを通じて行われるものであり、遠隔監視測定システムの具体的な構造の如何に関わらず、その接続方式はおおかた図１で示されるように、過程制御コンピュータ、過程制御コンピュータにより制御される被制御（工業）過程、及び過程制御コンピュータと接続される遠隔監視測定コンピュータを含む。
【０００３】
この種の遠隔監視測定システムの特徴は、過程制御コンピュータシステムと外界ネットとの間に物理的ネット接続が存在することであるが、このように物理接続されていることによる問題のひとつは、過程制御コンピュータシステムが外界ネットからの攻撃を受ける可能性があることである。例えばネット上のハッカーの攻撃又はウィルスの侵入が挙げられ、コンピュータシステムにファイアウォールのような防護対策をとることができるとは言え、それでもなお過程制御コンピュータに絶対的な安全を保証することはできない。過程制御コンピュータは、被制御工業過程に対しリアルタイムの工業制御又は監視測定を行っているため、攻撃された場合、被制御工業過程が制御不能に陥り、工業過程に重大な損害を与えるおそれがある。
【発明の開示】
【発明が解決しようとする課題】
【０００４】
本発明が解決しようとする技術課題は従来技術における上述の不足に対するものであり、被制御工業過程に対し監視測定を行えるとともに、被制御工業過程に対し監視測定又は制御を行う過程制御コンピュータが外界ネットからの攻撃を受けないことを保証できる本質安全型データ遠隔監視測定システムおよび当該監視測定システムを使用する監視測定方法を提供することである。
【課題を解決するための手段】
【０００５】
本発明の技術問題を解決するのに採用する技術方案は、当該本質安全型データ遠隔監視測定システムが、被制御工業過程に対し監視測定又は制御を行う過程制御コンピュータ又はコンピュータシステムと、過程制御コンピュータ又はコンピュータシステムに対し遠隔監視測定を行う遠隔監視測定コンピュータ又はコンピュータシステムとを含み、当該監視測定システムがさらに、過程制御コンピュータ又はコンピュータシステムとの間でネットを介さず物理接続され、過程制御コンピュータ又はコンピュータシステムにおけるデータ信号を採集する信号採集設備又はシステムと、信号採集設備又はシステムと接続され、遠隔監視測定コンピュータ又はコンピュータシステムとネット接続されているローカル監視測定コンピュータ又はコンピュータシステムとを含むというものである。前記ローカル監視測定コンピュータ又はコンピュータと遠隔監視測定コンピュータ又はコンピュータシステムのネット接続はインターネットを介した接続であってもよく、前記被制御過程は、被制御工業過程又はその他の単方向データ転送を必要とするシステムであってもよい。
【０００６】
データに対し遠隔監視測定を行う当該方法は、当該監視測定システムにおける、過程制御コンピュータ又はコンピュータシステムとネットを介さず物理接続されている信号採集設備で過程制御コンピュータにおけるデータ信号を採集してから、ローカル監視測定コンピュータにより当該データ信号を遠隔監視測定コンピュータに転送して監視測定を行うというものである。
【０００７】
ここで、信号採集設備は画像又は映像の採集設備を採用することができるが、好ましくは、過程制御コンピュータのモニターが表示するデータ映像画像を撮影するカメラ又は過程制御コンピュータのモニターにおける映像信号を採集する映像採集設備である。
【０００８】
過程制御コンピュータのモニターにおける映像信号を採集する映像採集設備は、映像分線コンバーター及び映像採集カードを含み、前記映像分線コンバーターの一方の出力ポートは過程制御コンピュータのモニターと接続されており、他方の出力ポートはローカル監視測定コンピュータと接続されている映像採集カードに接続されている。
【０００９】
画像採集設備が採集したデータ信号を転送する方式には様々な種類がある。
【００１０】
一つは、画像採集設備により監視測定データの映像信号を採集し、それを画像又は映像形式のファイルに変換してから、ローカル監視測定コンピュータによりネットファイル転送方式を用いて当該ファイルを遠隔監視測定コンピュータに転送するという方式である。
【００１１】
好ましいのは、画像採集設備によりデータの映像信号を採集し、それを画像又は映像ファイルに変換し、画像又は映像ファイルをさらにテキスト形式のデータ又は浮動小数点形式のデータに復元してから、ローカル監視測定コンピュータによりネットデータ転送システムを通じて当該データを遠隔監視測定コンピュータに転送して監視測定を行う方式である。ここで、画像又は映像ファイルを変換する際は、光学式文字読取技術ＯＣＲを用いて文字符号と数字に対し識別を行うことで、データの画像又は映像のファイルをテキスト形式のデータ又は浮動小数点形式のデータに変換することができる。
【００１２】
本発明の監視測定システムでは、過程制御コンピュータとローカル監視測定コンピュータの間のネットを介さない物理接続は、映像信号を用いて情報を転送するほかに、その他の単方向データ転送方法を用いて実現することもできる。もし単方向の光電カップリングユニットを通じて、発送しようとするデータを光発信器により発送するなら、光受信器は、光発信器が発送した光データ信号を電気データ信号に変換する光電コンバーターユニットである。光発信器は過程制御コンピュータと接続しており、光受信器はローカル監視測定コンピュータと接続しており、形成されたデータは専ら光電単方向で過程制御コンピュータからローカル監視測定コンピュータの構造に転送される。
【００１３】
光電カップリングユニットに類似したものとして、ラジオ方式を用いて単方向転送を行うこともできる。この場合は、過程制御コンピュータ側にラジオ発信器を接続し、ローカル監視測定コンピュータ側にラジオ受信器を接続してデータの転送を行う。ラジオ又はテレビ放送のように、転送しようとするデータ信号をラジオ放送又はテレビ放送を通じて監視測定側のローカル監視測定コンピュータに転送するため、監視測定を行うラジオ受信器は発信器側に接続されている過程制御コンピュータに影響しえない。
【発明の効果】
【００１４】
従来技術における遠隔監視測定システムは、過程制御コンピュータと遠隔監視測定コンピュータの間でインターネットを通じてデータ信号を発信する必要があるため、反ハッカーソフトウェア又はハードウェアを用いて保護を行うことができるとは言え、この２台のコンピュータはネット上で物理的に接続されているので、本質的には依然としてネット上の安全リスクが存在している。一方、本発明の監視測定システムにおいては、過程制御コンピュータとローカル監視測定コンピュータの間のデータ信号の発信でネットを介さない物理接続方式を採用しており、過程制御コンピュータとローカル監視測定コンピュータの間のデータの発信は完全に外界のネットと隔離されているため、過程制御コンピュータは外界のネットハッカーの攻撃を受けることなく、過程制御コンピュータのネット安全性を本質的に保証することができるのである。
【００１５】
本発明の監視測定システムと監視測定方法は、普通のデータを転送する場合にも応用することができる。例えば、ネットＡ（例えば職場内部のＬＡＮ）のデータを単方向でネットＢに転送する必要があり、同時にネットＡがネットＢからの攻撃を受けないことも保証しなくてはならない場合である。
【００１６】
本発明は、被制御工業過程及びその他のネットデータ転送システムに対し監視測定又は単方向データ発信を行うのに用いることができ、過程制御コンピュータは外界のネットハッカーの攻撃を受けることがなく、過程制御コンピュータのネット安全性を本質的に保証することができるものである。
【発明を実施するための最良の形態】
【００１７】
以下に付録図を引用しながら、本発明に対して更なる詳細な説明を行う。
【００１８】
図２，３が示すように、当発明の本質安全型データ遠隔監視測定システムは、被制御工業過程（Controlled Industry Process）２に対し監視測定又は制御を行う過程制御コンピュータ（Process Control Computer）１と、過程制御コンピュータ１との間がネットを介さず物理接続されており、過程制御コンピュータ１の中のデータ信号を採集する信号採集設備と、信号採集設備と接続されているローカル監視測定コンピュータ４及び過程制御コンピュータ１に対し遠隔監視測定を行う遠隔監視測定コンピュータ３を含む。このうちローカル監視測定コンピュータ４はインターネットを通じて遠隔監視測定コンピュータ３と接続されている。
【００１９】
信号採集設備としては、図２で示されるようなカメラ５を選用することができる。しかし実際の使用においては、カメラ５を過程制御コンピュータ１のモニター７に合わせる必要があり、移動できず、使用に不便をもたらすため、信号採集設備は図３で示されるような映像採集設備６を選択することもできる。
【００２０】
図２，３で示されるように、画像又は映像採集設備により採集した監視測定データの映像信号を、ローカル監視測定コンピュータ４において画像又は映像形式のファイルに変換してから、ローカル監視測定コンピュータ４が処理を行った後、監視測定情報をネット（例えばインターネット）を通じて遠隔監視測定コンピュータ３に転送する。過程制御コンピュータ１と、ローカル監視測定コンピュータ４及び遠隔監視測定コンピュータ３で構成されるネットシステムとの間には、いかなるネットとも物理接続がないため、過程制御コンピュータ１はいかなるネット（例えばインターネット）からの攻撃も受けることがなく、過程制御コンピュータ１のネット安全性を本質的に保証することができるものである。
【００２１】
ローカル監視測定コンピュータ４が、カメラ５又は映像採集設備６を通じて被監視測定データの映像信号の画像又は映像ファイルを得た後の処理と転送のモデルは二種類あり、それぞれ図４、図５に示してある。
【００２２】
図４で示されるように、一つ目の情報処理と転送のモデルでは、過程制御コンピュータ１の採集した被監視測定データを、データリアルタイム表示インターフェースを通じて、過程制御コンピュータ１に接続されているモニター７に表示する。ローカル監視測定コンピュータ４は、画像採集設備（例えばカメラ５又は映像採集設備６）で被監視測定データの映像信号を採集し、この映像信号を、画像又は映像形式のファイル（ストリーミングファイルを含む）に変換し、インターネット転送システム（即ちローカル監視測定コンピュータ４）により遠隔監視測定コンピュータ３に送る。このような情報処理と転送のモデルの特徴として、遠隔転送されるのが画像又は映像のファイルであり、遠隔監視測定コンピュータ３において見られるのはモニター７において表示されるものと同一のデータ画像であるため、このような転送方式では比較的広い遠隔転送バンド幅が必要とされるとともに、データの保存や処理も不便である。
【００２３】
図５で示されているように、二つ目の情報転送モデルでは、ローカル監視測定コンピュータ４において画像採集設備が採集したデータ映像信号を画像又は映像のファイルに変換した後、画像または映像ファイルをテキスト形式又は浮動小数点形式のデータに変換してから、ネットデータ転送システム（即ちローカル監視測定コンピュータ４）により当該データを遠隔監視測定コンピュータ３に転送して監視測定を行う。画像又は映像ファイルをテキスト形式又は浮動小数点形式のデータに変換する際には、光学式文字読取技術ＯＣＲを用いて文字符号と数字の画像に対し識別変換を行うことで、データ画像をテキスト又は浮動小数点データに変換することができる。このような情報処理と転送の方式の特徴として、遠隔転送バンド幅に対する要求が高くなく、データの保存も簡単である。
【００２４】
二つ目の情報転送モデルでは、過程制御コンピュータシステムにおいて採集した被監視測定データをモニター７に表示する必要があるが（図３参照）、そのデータの表示方式には様々な種類がありうる。そのまま通常の浮動小数点形式でデータを表示する場合、ある種のマッピング変換を経てから表示しようとするデータをスクリーンに表示し、光学式文字読取が完成した後、逆変換を行い、元のデータに復元してもよい。例えば、データの中の小数点をその他の文字符号（例えば英文字Ａ）に差し替えることで、ＯＣＲ識別プログラムが小数点を汚染“ダーティポイント”に誤認識して、識別できない状況を避けることができる。ＯＣＲは、この代替の文字符号（例えば英文字Ａ）を識別したとき、小数点に復元する。
【００２５】
この種のマッピング変換には様々なタイプがあり、実際の必要に応じてマッピング変換設計を行うことができる。例えば、採集したデータを、６４桁又は必要に応じたその他の桁数の２進法を用いて表してから、表示インターフェース上のある位置の６４個の画素にこの６４個の２進法数を対応させ、各画素において白で１を表示するか又は所定色のＲＧＢ値で１を表示し、黒で０を表すか又は別の所定色のＲＧＢ値で０を表示することもできる。ローカル監視測定コンピュータがこの位置の６４個の画素を採集した後、その色に基づいて当該データの２進法の表示を得ることができ、その後この２進法のデータを通常の１０進法の浮動小数点数に復元する。
【００２６】
二つ目の情報転送モデルにおいては、図５．１に示されているように、データを直接映像信号に変調してもよく、この場合、ローカル監視測定コンピュータはこの映像信号を受信した後、元のデータに復調する。
【００２７】
過程制御コンピュータとローカル監視測定コンピュータとの間のネットを介さない物理接続は、このような映像信号を用いて信号を転送するほかに、その他の単方向のデータ転送方法を用いて実現してもよい。単方向の光電カップリングユニットを通じて、発送しようとするデータを光発信器により発射する場合、光受信器は、光発信器が発信した光データ信号を電気データ信号に変換する光電コンバーターユニットである。光発信器は過程制御コンピュータ１と接続しており、光受信器はローカル監視測定コンピュータ４と接続している。このように、データが専ら光電単方向で、過程制御コンピュータ１からローカル監視測定コンピュータ４に伝わる構造をなしている。これは図３のデータ信号転送方法と非常に似ており、図３の光発信器としてモニターを選用しており、光受信器としてカメラを選用しているということに過ぎない。光電カップリングユニットと類似のものとして、ラジオの方式を用いて単方向転送を行ってもよく、過程制御コンピュータ１端にラジオ発信器が接続され、ローカル監視測定コンピュータ４端にラジオ受信器が接続され、データの転送が行われる。ラジオ又はテレビ放送のように、転送しようとするデータをラジオ放送又はテレビ放送を通じて監視測定側に転送するのである。このように監視測定を行うラジオ受信器は、如何にしても発信器端に接続されている過程制御コンピュータ１に影響しえないため、過程制御コンピュータがネットの攻撃を受けることを避けることができる。
【００２８】
本発明の監視測定システムと監視測定方法は、普通のデータを転送する場合に応用することもできる。図６で示されるように、例えばネットＡ（例えば会社内部のＬＡＮ）のデータを単方向でネットＢに転送する必要があり、同時にネットＡがネットＢからの攻撃を受けないことも保証しなくてはならない場合に、当発明監視測定システムと監視測定方法を採用することができる。
【００２９】
下記の実施例は本発明の非限定性実施例である。
【００３０】
実施例１：
図７に示されているように、本実施例は、ある触媒クラッキング最適化生産過程における最適化制御遠隔データ監視測定システムである。生産過程（process of production）では、Ｅｍｅｒｓｏｎ会社が生産したＤｅｌｔａＶコンピュータＤＣＳを採用して制御を行う。当該システムの制御ネットには過程制御コンピュータ１が一台あり、即ちＡＰＰコンピュータ（Application Workstation、アプリケーションワークステーション）がコンピュータＤＣＳに対し監視測定と制御を行い、遠隔監視測定を行おうとするデータを採集した後、ＡＰＰコンピュータのモニターに表示する。ＡＰＰコンピュータと映像採集設備６は接続され、映像採集設備６は映像分線コンバーターと映像採集カードを含む。ＡＰＰコンピュータとモニターの映像接続線上に映像分線コンバーターを加え、映像分線コンバーターの出力ポートの一方がＡＰＰコンピュータのモニターに接続され、他方の出力ポートからの映像信号がローカル監視測定コンピュータシステムの映像採集カードに入る。ローカル監視測定コンピュータシステムには、タイミング画像採集ソフトウェアとそれに接続されているタイミングＦＴＰ転送ソフトウェアが設置されており、映像採集カードはローカル監視測定コンピュータシステムに設置されている。映像分線コンバーターにある映像信号を採集し、ローカル監視測定コンピュータシステム上に表示する。ローカル監視測定コンピュータシステムの中のタイミング画像採集ソフトウェアは一定の時間間隔をおいて映像採集カードの中の映像画像を画像ファイルに変換し、タイミングＦＴＰ転送ソフトにより画像ファイルをインターネットファイル転送システムを通じて遠隔監視測定コンピュータ３に送る。こうすることで、遠隔監視測定コンピュータ３で監視測定しようとするコンピュータＤＣＳ上のデータを見ることができ、また、遠隔監視測定コンピュータ３とローカル監視測定コンピュータシステムの間のインターネットとコンピュータＤＣＳは、ネット上で物理的に分断されているため、インターネット上のウィルス又はハッカーはこのようなシステムを通してコンピュータＤＣＳの中に進入し工業過程を攻撃することができない。
【００３１】
実施例２：
図８で示されているように、本実施例は、ある化学工業生産過程における遠隔データ監視測定システムである。生産過程において、横河会社が生産したＣｅｎｔｕｍ ＣＳ３０００コンピュータＤＣＳを採用して制御を行う。当該システムの制御ネットにはデータ採集コンピュータが一台あり、これがＤＣＳに対して監視測定データを採集し、遠隔監視測定を行おうとするデータをデータ採集コンピュータのモニター７上に表示する。データ採集コンピュータと映像採集設備は接続され、映像採集設備は映像分線コンバーターと映像採集カード６を含む。データ採集コンピュータとモニターの間の映像接続線に映像分線コンバーターを加え、映像分線コンバーターの出力ポートの一方にデータ採集コンピュータのモニターが接続され、他方の出力ポートからの映像信号がローカル監視測定コンピュータシステムの映像採集カードに入る。ローカル監視測定コンピュータシステムには、タイミング画像採集ソフトウェア、ＯＣＲリアルタイム識別システムとタイミングリアルタイムデータ転送ソフトが設置されている。映像採集カードはローカル監視測定コンピュータシステムに設置されており、映像分線コンバーターにある映像信号を採集し、ローカル監視測定コンピュータシステム上に表示する。ローカル監視測定コンピュータシステムの中のタイミング画像採集ソフトは、一定時間間隔をおいて映像採集カードの中の映像画像を画像ファイルに変換してから、ＯＣＲリアルタイム識別システムの識別を経て浮動小数点データに転換し、これらのデータをタイミングデータ転送ソフトによりＬＡＮを通じて遠隔監視測定コンピュータ３のデータベースに転送する。こうすることで、遠隔監視測定コンピュータ３では監視測定しようとするコンピュータＤＣＳ上のデータを見ることができ、また、ＬＡＮとコンピュータＤＣＳはネット上で物理的に分断されているため、ＬＡＮ上のウィルス又はハッカーはこのようなシステムを通してコンピュータＤＣＳの工業過程（industry process）を攻撃することができない。
【図面の簡単な説明】
【００３２】
【図１】従来技術における被制御工業過程遠隔監視測定システムの構造原理図。
【図２】本発明の遠隔監視測定システムにおける情報採集設備としてカメラを選用する場合の構造原理図。
【図３】本発明の遠隔監視測定システムにおける情報採集設備として映像採集設備を選用する場合の構造原理図。
【図４】図２又は図３におけるデータ信号に対する処理と転送の、ひとつのモデルを示すフローチャート。
【図５】図２又は図３におけるデータ信号に対する処理と転送の、もうひとつのモデルにおいて、映像信号の変調と復調を通じてデータを転送する際のフローチャート。
【図５．１】図２又は図３におけるデータ信号に対する処理と転送の、もうひとつのモデルにおいて、映像信号の変調と復調を通じてデータを転送する際のフローチャート。
【図６】本発明におけるデータ転送の一般モデル。
【図７】本発明実施例１の構造説明図。
【図８】本発明実施例２の構造説明図。
【符号の説明】
【００３３】
１…過程制御コンピュータ、２…被制御工業過程、３…遠隔監視測定コンピュータ、４…ローカル監視測定コンピュータ、５…カメラ、６…映像採集設備、７…モニター
【図１】
2009532750.tif 000003
【図２】
2009532750.tif 000004
【図３】
2009532750.tif 000005
【図４】
2009532750.tif 000006
【図５】
2009532750.tif 000007
【図５．１】
2009532750.tif 000008
【図６】
2009532750.tif 000009
【図７】
2009532750.tif 000010
【図８】
2009532750.tif 000011
【国際調査報告】
2009532750.tif 000012
2009532750.tif 000013
2009532750.tif 000014
2009532750.tif 000015